(57)【特許請求の範囲】
【請求項１】
異種無線ネットワークと結合するように構成された無線デバイスの垂直ハンドオーバのための方法であって、
垂直ハンドオーバマネージャが、無線デバイスの垂直ハンドオーバに関連付けられている１つまたは複数のトリガーイベントの指示を受信することと、
垂直ハンドオーバマネージャが、前記受信した指示に応答して、複数の無線デバイスに関連付けられている垂直ハンドオーバ情報に少なくとも基づいて、第１の垂直ハンドオーバの対象となる第１の無線デバイスと、第２の垂直ハンドオーバの対象となる第２の無線デバイスとをスワップ候補として識別することであって、前記第１の無線デバイスは第１の無線ネットワークに結合され、前記第２の無線デバイスは第２の無線ネットワークに結合されることと、
垂直ハンドオーバマネージャが、前記第１の無線デバイスに対する前記第１の垂直ハンドオーバおよび前記第２の無線デバイスに対する前記第２の垂直ハンドオーバを実行することとを備える方法。
【請求項２】
前記第１の垂直ハンドオーバおよび前記第２の垂直ハンドオーバを実行することは、第１の垂直ハンドオーバおよび第２の垂直ハンドオーバを同時に実行することを備える請求項１に記載の方法。
【請求項３】
前記第１の垂直ハンドオーバおよび前記第２の垂直ハンドオーバを実行することは、
前記第１の無線デバイスを前記第１の無線ネットワークに結合する第１のネットワーク接続を、前記第１の無線デバイスを前記第２の無線ネットワークに結合するための第２のネットワーク接続とスワップすることと、
前記第２の無線デバイスを前記第２の無線ネットワークに結合する第３のネットワーク接続を、前記第２の無線デバイスを前記第１の無線ネットワークに結合するための第４のネットワーク接続とスワップすることとをさらに備える請求項１に記載の方法。
【請求項４】
前記第１の垂直ハンドオーバおよび前記第２の垂直ハンドオーバを実行することは、
前記第１の無線ネットワークに、前記第４のネットワーク接続を介して前記第２の無線デバイスと結合するよう指示することと、
前記第２の無線ネットワークに、前記第２のネットワーク接続を介して前記第１の無線デバイスと結合するよう指示することとをさらに備える請求項３に記載の方法。
【請求項５】
前記１つまたは複数のトリガーイベントは、サービス品質しきい値、無線デバイスユーザ基本設定、前記第１または第２の無線ネットワークの操作ポリシー、前記第１または第２の無線ネットワークに結合されたコアネットワークの操作ポリシー、前記第１または第２の無線ネットワークの無線リソース管理ポリシー、あるいは前記第１および前記第２の無線ネットワークの共通無線リソース管理ポリシーのうちの少なくとも１つにさらに関連付けられる請求項１に記載の方法。
【請求項６】
前記垂直ハンドオーバ情報に少なくとも基づいて、前記第１の無線デバイスと前記第２の無線デバイスとをスワップ候補として識別することは、
前記第１の無線ネットワークおよび前記第２の無線ネットワークの両方からネットワーク情報を受信することであって、前記ネットワーク情報は、前記第１または第２の無線ネットワークの操作ポリシー、前記第１または第２の無線ネットワークの無線リソース管理ポリシー、あるいは前記第１または第２の無線ネットワークのサービス品質要件のうちの少なくとも１つを含むことと、
前記第１の無線デバイスおよび前記第２の無線デバイスの両方からユーザ情報を受信することであって、前記ユーザ情報は、前記第１または第２の無線デバイスのユーザ基本設定、前記第１または第２の無線デバイスのサービス品質要件、あるいは前記第１または第２の無線デバイスによって使用されているサービスのタイプのうちの少なくとも１つを含むことと、
前記ネットワーク情報および前記ユーザ情報を、少なくとも一時的にマルチユーザテーブルに格納することとをさらに備える請求項１に記載の方法。
【請求項７】
前記垂直ハンドオーバ情報に少なくとも基づいて、前記第１の無線デバイスと前記第２の無線デバイスとをスワップ候補として識別することは、
前記第１の無線ネットワークまたは前記第２の無線ネットワークに結合された１つまたは複数のコアネットワークからコア情報を受信することであって、前記コア情報は、前記１つまたは複数のコアネットワークの操作ポリシー、共通無線リソース管理ポリシー、前記コアネットワークのサービス品質要件、あるいは前記コアネットワークによってサポートされるサービスのタイプのうちの少なくとも１つを含むことと、
前記コア情報を、少なくとも一時的に前記マルチユーザテーブルに格納することとをさらに備える請求項６に記載の方法。
【請求項８】
前記垂直ハンドオーバ情報に少なくとも基づいて、前記第１の無線デバイスと前記第２の無線デバイスとをスワップ候補として識別することは、
前記第１の無線デバイスを前記第１の無線ネットワークに結合する第１のネットワーク接続を、前記第１の無線デバイスを前記第２の無線ネットワークに結合する第２のネットワーク接続とスワップするための第１の候補として前記第１の無線デバイスを識別することと、
前記第２の無線デバイスを前記第２の無線ネットワークに結合する第３のネットワーク接続を、前記第２の無線デバイスを前記第１の無線ネットワークに結合する第４のネットワーク接続とスワップするための第２の候補として前記第２の無線デバイスを識別することと、
前記第１の候補および前記第２の候補に関連付けられている情報を、前記第１の無線ネットワークおよび前記第２の無線ネットワークに配信することと、
前記第１および第２の候補の承認を、前記第１および第２の両方の無線ネットワークから受信することと、
確認を前記第１および第２の無線ネットワークに送信することであって、前記確認は、前記第１および第２の候補が前記第１および第２の両方の無線ネットワークにより承認されていることを示す指示を有することとをさらに備える請求項１に記載の方法。
【請求項９】
前記第１および第２の候補は、前記第１の無線ネットワークまたは前記第２の無線ネットワークに関連付けられているネットワーク操作パラメータのサービス品質改善に少なくとも部分的に基づいてスワップするために識別された、請求項８に記載の方法。
【請求項１０】
前記第１の垂直ハンドオーバおよび前記第２の垂直ハンドオーバを実行することは、
前記第１のネットワーク接続を前記第２のネットワーク接続とスワップするように前記第１の無線デバイスに、前記第３のネットワーク接続を前記第４のネットワーク接続とスワップするように前記第２の無線デバイスに指示を転送することであって、前記第１の無線デバイスおよび前記第２の無線デバイスはそれぞれのスワップを同時に実行するようになっていることをさらに備える請求項８に記載の方法。
【請求項１１】
前記第１の無線ネットワークはＷｉＦｉタイプの無線ネットワークであり、前記第２の無線ネットワークはＷｉＭａｘ、３ＧＰＰ、または３ＧＰＰ２タイプの無線ネットワークのうちの１つである請求項１に記載の方法。
【請求項１２】
前記第１の無線ネットワークはＷｉＭａｘタイプの無線ネットワークであり、前記第２の無線ネットワークは３ＧＰＰタイプの無線ネットワークである請求項１に記載の方法。
【請求項１３】
前記第１の無線ネットワークおよび前記第２の無線ネットワークは、共通コアネットワークに結合される請求項１に記載の方法。
【請求項１４】
異種無線ネットワークと結合するように構成された無線デバイスの垂直ハンドオーバのための装置であって、
垂直ハンドオーバマネージャであって、
無線デバイスの垂直ハンドオーバに関連付けられている１つまたは複数のトリガーイベントの指示を受信し、
前記受信した指示に応答して、複数の無線デバイスに関連付けられている垂直ハンドオーバ情報に少なくとも基づいて、第１の垂直ハンドオーバの対象となる第１の無線デバイスと、第２の垂直ハンドオーバの対象となる第２の無線デバイスとをスワップ候補として識別し、前記第１の無線デバイスは第１の無線ネットワークに結合され、前記第２の無線デバイスは第２の無線ネットワークに結合され、
前記第１の無線デバイスに対する前記第１の垂直ハンドオーバおよび前記第２の無線デバイスに対する前記第２の垂直ハンドオーバを実行するように構成された論理を含む垂直ハンドオーバマネージャを備える装置。
【請求項１５】
前記第１の垂直ハンドオーバおよび前記第２の垂直ハンドオーバは同時に実行される請求項１４に記載の装置。
【請求項１６】
前記第１の垂直ハンドオーバおよび前記第２の垂直ハンドオーバを実行することは、
前記第１の無線デバイスを前記第１の無線ネットワークに結合する第１のネットワーク接続を、前記第１の無線デバイスを前記第２の無線ネットワークに結合する第２のネットワーク接続とスワップし、
前記第２の無線デバイスを前記第２の無線ネットワークに結合する第３のネットワーク接続を、前記第２の無線デバイスを前記第１の無線ネットワークに結合する第４のネットワーク接続とスワップするように構成された論理をさらに備える請求項１４に記載の装置。
【請求項１７】
前記第１の垂直ハンドオーバおよび前記第２の垂直ハンドオーバを実行することは、
前記第１の無線ネットワークに、前記第４のネットワーク接続を介して前記第２の無線デバイスと結合するよう指示し、
前記第２の無線ネットワークに、前記第２のネットワーク接続を介して前記第１の無線デバイスと結合するよう指示するように構成された論理をさらに備える請求項１６に記載の装置。
【請求項１８】
前記１つまたは複数のトリガーイベントは、サービス品質しきい値、無線デバイスユーザ基本設定、前記第１または第２の無線ネットワークの操作ポリシー、前記第１または第２の無線ネットワークに結合されたコアネットワークの操作ポリシー、前記第１または第２の無線ネットワークの無線リソース管理ポリシー、あるいは前記第１および前記第２の無線ネットワークの共通無線リソース管理ポリシーのうちの１つにさらに関連付けられる請求項１４に記載の装置。
【請求項１９】
異種無線ネットワークと結合するように構成された無線デバイスの垂直ハンドオーバを実行するシステムであって、
メモリと、
前記メモリに結合された垂直ハンドオーバマネージャであって、
無線デバイスの垂直ハンドオーバに関連付けられている１つまたは複数のトリガーイベントの指示を受信し、
前記受信した指示に応答して、複数の無線デバイスに関連付けられている垂直ハンドオーバ情報に少なくとも基づいて、第１の垂直ハンドオーバの対象となる第１の無線デバイスと、第２の垂直ハンドオーバの対象となる第２の無線デバイスとをスワップ候補として識別し、前記第１の無線デバイスは第１の無線ネットワークに結合され、前記第２の無線デバイスは第２の無線ネットワークに結合され、
前記第１の無線デバイスに対する前記第１の垂直ハンドオーバおよび前記第２の無線デバイスに対する前記第２の垂直ハンドオーバを実行するように構成された論理を含む垂直ハンドオーバマネージャとを備えるシステム。
【請求項２０】
前記垂直ハンドオーバマネージャは、
前記第１の無線ネットワークおよび前記第２の無線ネットワークの両方からネットワーク情報を受信し、前記ネットワーク情報は、前記第１または第２の無線ネットワークの操作ポリシー、前記第１または第２の無線ネットワークの無線リソース管理ポリシー、あるいは前記第１または第２の無線ネットワークのサービス品質要件のうちの少なくとも１つを含み、
前記第１の無線デバイスおよび前記第２の無線デバイスの両方からユーザ情報を受信し、前記ユーザ情報は、前記第１または第２の無線デバイスのユーザ基本設定、前記第１または第２の無線デバイスのサービス品質要件、あるいは前記第１または第２の無線デバイスによって使用されているサービスのタイプのうちの少なくとも１つを含み、
前記メモリにおいて、前記ネットワーク情報および前記ユーザ情報を、少なくとも一時的にマルチユーザテーブルに格納するように構成された論理をさらに備える請求項１９に記載のシステム。
【請求項２１】
前記第１の垂直ハンドオーバおよび前記第２の垂直ハンドオーバを実行することは、
前記第１の無線ネットワークまたは前記第２の無線ネットワークに結合された１つまたは複数のコアネットワークからコア情報を受信し、前記コア情報は、前記１つまたは複数のコアネットワークの操作ポリシー、共通無線リソース管理ポリシー、前記コアネットワークのサービス品質要件、あるいは前記コアネットワークによってサポートされるサービスのタイプのうちの少なくとも１つを含み、
前記メモリにおいて、前記コア情報を、少なくとも一時的に前記マルチユーザテーブルに格納することをさらに備える請求項２０に記載のシステム。
【請求項２２】
前記垂直ハンドオーバ情報に少なくとも基づいて、前記第１の無線デバイスと前記第２の無線デバイスとをスワップ候補として識別することは、
前記第１の無線デバイスを前記第１の無線ネットワークに結合する第１のネットワーク接続を、前記第１の無線デバイスを前記第２の無線ネットワークに結合する第２のネットワーク接続とスワップするための第１の候補として前記第１の無線デバイスを識別し、
前記第２の無線デバイスを前記第２の無線ネットワークに結合する第３のネットワーク接続を、前記第２の無線デバイスを前記第１の無線ネットワークに結合する第４のネットワーク接続とスワップするための第２の候補として前記第２の無線デバイスを識別し、
前記第１の候補および前記第２の候補に関連付けられている情報を、前記第１の無線ネットワークおよび前記第２の無線ネットワークに配信し、
前記第１および第２の候補の承認を、前記第１および第２の両方の無線ネットワークから受信し、
確認を前記第１および第２の無線ネットワークに送信し、前記確認は、前記第１および第２の候補が前記第１および第２の両方の無線ネットワークにより承認されていることを指示することをさらに備える請求項１９に記載のシステム。
【請求項２３】
前記第１および第２の候補は、前記第１の無線ネットワークまたは前記第２の無線ネットワークに関連付けられているネットワーク操作パラメータのサービス品質改善に基づいてスワップするために識別される、請求項２２に記載のシステム。
【請求項２４】
前記第１の垂直ハンドオーバおよび前記第２の垂直ハンドオーバを実行することは、
前記第１のネットワーク接続を前記第２のネットワーク接続とスワップするように前記第１の無線デバイスに、前記第３のネットワーク接続を前記第４のネットワーク接続とスワップするように前記第２の無線デバイスに指示を転送し、前記第１の無線デバイスおよび前記第２の無線デバイスはそれぞれのスワップを同時に実行することをさらに備える請求項２２に記載のシステム。
【請求項２５】
異種無線ネットワークと結合するように構成された無線デバイスの垂直ハンドオーバを実行するための命令を有するコンピュータプログラムであって、プロセッサによって実行されるとき、前記プロセッサに、
無線デバイスの垂直ハンドオーバに関連付けられている１つまたは複数のトリガーイベントの指示を受信させ、
前記受信した指示に応答して、複数の無線デバイスに関連付けられている垂直ハンドオーバ情報に少なくとも基づいて、第１の垂直ハンドオーバの対象となる第１の無線デバイスと、第２の垂直ハンドオーバの対象となる第２の無線デバイスとをスワップ候補として識別し、前記第１の無線デバイスは第１の無線ネットワークに結合され、前記第２の無線デバイスは第２の無線ネットワークに結合され、
前記第１の無線デバイスに対する前記第１の垂直ハンドオーバおよび前記第２の無線デバイスに対する前記第２の垂直ハンドオーバを実行することを行わせるコンピュータプログラム。
【請求項２６】
前記第１の垂直ハンドオーバおよび前記第２の垂直ハンドオーバは同時に実行される請求項２５に記載のコンピュータプログラム。
【請求項２７】
前記第１の垂直ハンドオーバおよび前記第２の垂直ハンドオーバを実行することは、
前記第１の無線デバイスを前記第１の無線ネットワークに結合する第１のネットワーク接続を、前記第１の無線デバイスを前記第２の無線ネットワークに結合する第２のネットワーク接続とスワップし、
前記第２の無線デバイスを前記第２の無線ネットワークに結合する第３のネットワーク接続を、前記第２の無線デバイスを前記第１の無線ネットワークに結合する第４のネットワーク接続とスワップすることをさらに備える請求項２５に記載のコンピュータプログラム。
【請求項２８】
前記第１の垂直ハンドオーバおよび前記第２の垂直ハンドオーバを実行することは、
前記第１の無線ネットワークに、前記第４のネットワーク接続を介して前記第２の無線デバイスと結合するよう指示し、
前記第２の無線ネットワークに、前記第２のネットワーク接続を介して前記第１の無線デバイスと結合するよう指示することをさらに備える請求項２７に記載のコンピュータプログラム。
【請求項２９】
前記１つまたは複数のトリガーイベントは、サービス品質しきい値、無線デバイスユーザ基本設定、前記第１または第２の無線ネットワークの操作ポリシー、前記第１または第２の無線ネットワークに結合されたコアネットワークの操作ポリシー、前記第１または第２の無線ネットワークの無線リソース管理ポリシー、あるいは前記第１および前記第２の無線ネットワークの共通無線リソース管理ポリシーのうちの１つにさらに関連付けられる請求項２５に記載のコンピュータプログラム。
【発明の詳細な説明】
【背景技術】
【０００１】
本明細書において特に指示のない限り、この節において説明される手法は、本願における特許請求の範囲に対する従来技術ではなく、この節に含有することにより従来技術であると是認されるものではない。
【発明の概要】
【０００２】
複雑な無線通信システムは、無線通信システムに含まれているさまざまなタイプの無線ネットワーク（「異種無線ネットワーク」）のサービスエリアが重畳、重複、または共存することができるように配置される場合がある。したがって、複数のタイプの無線ネットワークに結合する機能を備える無線デバイスは、無線デバイスが結合または接続することができる無線ネットワークのタイプを選択する機会を有する場合もある。しかし、所与の無線ネットワークは、特定の帯域幅およびユーザ総数ケイパビリティ（user count capabilities）を有することができ、また、所与の無線ネットワークにすでに結合されている無線デバイス間のデータフローにおける突然の爆発的な需要または突然の相関に対して十分なバッファを保持することが必要となる場合もある。
【０００３】
通常、無線ネットワークの許可ポリシーは、無線デバイスが無線ネットワークに結合することができる単一ノードまたはアクセスポイントの実測のロードおよび無線管理に基づいてもよい。異種無線ネットワーク間の調整された無線デバイスアクセスを含む無線通信システムが提案されてきた。異種無線ネットワーク間の調整された無線デバイスアクセスプロセスは、各無線ネットワークにそれぞれ関連付けられている無線デバイスおよびアクセスポイントまたはノードの取得または共有された知識に基づいて、第１の無線ネットワークから第２の無線ネットワークに単一の無線デバイスがシフトすることができるようにする。一部の例において、取得または共有された知識に基づいて異種無線ネットワーク間で調整される無線デバイスアクセスは、無線デバイスの垂直ハンドオーバと呼ばれることもある。
【０００４】
本開示は、異種無線ネットワークと結合するように構成された無線デバイスの垂直ハンドオーバを実施するための例示の方法を説明する。これらの方法は、無線デバイスの垂直ハンドオーバに関連付けられている１つまたは複数のトリガーイベントの指示を受信することを含むことができる。また、受信した指示に応答して、第１の無線デバイスの第１の垂直ハンドオーバは、第２の無線デバイスの第２の垂直ハンドオーバと調整されてもよい。第１の無線デバイスは第１の無線ネットワークに結合されてもよく、第２の無線デバイスは第２の無線ネットワークに結合されてもよい。次いで、第１の垂直ハンドオーバおよび第２の垂直ハンドオーバは、複数の無線デバイスに関連付けられている垂直ハンドオーバ情報に少なくとも基づいて実行されてもよい。
【０００５】
本開示はまた、異種無線ネットワークと結合するように構成された無線デバイスの垂直ハンドオーバのための例示のデバイスを説明する。例示のデバイスは、論理を含むチャネルマネージャを有することができる。論理は、無線デバイスの垂直ハンドオーバに関連付けられている１つまたは複数のトリガーイベントの指示を受信するように構成されてもよい。受信した指示に応答して、論理は、第１の無線デバイスの第１の垂直ハンドオーバを、第２の無線デバイスの第２の垂直ハンドオーバと調整するように構成されてもよい。第１の無線デバイスは第１の無線ネットワークに結合されてもよく、第２の無線デバイスは第２の無線ネットワークに結合されてもよい。一部の例において、論理はまた、複数の無線デバイスに関連付けられている垂直ハンドオーバ情報に少なくとも基づいて、第１の垂直ハンドオーバおよび第２の垂直ハンドオーバを実行するように構成されてもよい。
【０００６】
本開示はまた、異種無線ネットワークと結合するように構成された無線デバイスの垂直ハンドオーバを実行するための例示のシステムを説明する。例示のシステムは、メモリと、メモリに結合された垂直ハンドオーバマネージャとを含むことができる。垂直ハンドオーバマネージャは、無線デバイスの垂直ハンドオーバに関連付けられている１つまたは複数のトリガーイベントの指示を受信するように構成された論理を有することができる。受信した指示に応答して、論理は、第１の無線デバイスの第１の垂直ハンドオーバを、第２の無線デバイスの第２の垂直ハンドオーバと調整するように構成されてもよい。第１の無線デバイスは第１の無線ネットワークに結合されてもよく、第２の無線デバイスは第２の無線ネットワークに結合されてもよい。一部の例において、論理はまた、複数の無線デバイスに関連付けられている垂直ハンドオーバ情報に少なくとも基づいて、第１の垂直ハンドオーバおよび第２の垂直ハンドオーバを実行するように構成されてもよい。
【０００７】
本開示はまた、例示のコンピュータプログラム製品を説明する。一部の例において、コンピュータプログラム製品は、異種無線ネットワークと結合するように構成された無線デバイスの垂直ハンドオーバを実行するための命令を有する信号担持媒体（signal bearing medium）を含むことができる。命令は、論理によって実行されるとき、論理に、無線デバイスの垂直ハンドオーバに関連付けられている１つまたは複数のトリガーイベントの指示を受信させることができる。受信した指示に応答して、命令はまた、論理に、第１の無線デバイスの第１の垂直ハンドオーバを、第２の無線デバイスの第２の垂直ハンドオーバと調整させることができる。第１の無線デバイスは第１の無線ネットワークに結合されてもよく、第２の無線デバイスは第２の無線ネットワークに結合されてもよい。命令はまた、複数の無線デバイスに関連付けられている垂直ハンドオーバ情報に少なくとも部分的に基づいて、論理に、第１の垂直ハンドオーバおよび第２の垂直ハンドオーバを実行させることができる。
【０００８】
本開示の前述およびその他の特徴は、付属の図面と併せて以下の説明と添付の特許請求の範囲を読めばさらに十分に明らかとなろう。これらの図面は開示によるいくつかの実施形態を示すに過ぎず、したがってその範囲を限定すると見なされるものではないことを理解し、開示は添付の図面を用いてさらに具体的および詳細に説明される。
【図面の簡単な説明】
【０００９】
【図１】例示の無線通信システムを示す図である。
【図２】垂直ハンドオーバマネージャの例示のアーキテクチャを示すブロック図である。
【図３】垂直ハンドオーバを調整するための例示のマルチユーザテーブルを示す図である。
【図４】無線デバイスの調整された垂直ハンドオーバに従う例示の無線通信システムの一部を示す図である。
【図５】異種無線ネットワークと結合するように構成された無線デバイスの垂直ハンドオーバのための例示の方法を示す流れ図である。
【図６】例示のコンピュータプログラム製品を示すブロック図である。
【図７】本開示により配置された例示のコンピューティングデバイスを示す図である。
【発明を実施するための形態】
【００１０】
以下の詳細な説明において、本明細書の一部を形成する付属の図面が参照される。図面において、文脈に特に指示がない限り、類似する符号は概して、類似するコンポーネントを識別する。詳細な説明、図面、および特許請求の範囲において説明される具体的例または実施形態は、限定的であることを意図されていない。本明細書において提示される主題の精神および範囲を逸脱することなく、その他の例または実施形態が使用されてもよく、その他の変更が行われてもよい。本明細書において概ね説明され、図面に示される本開示の態様が、多岐にわたるさまざまな構成において配置され、代替され、組み合わされ、設計されてもよく、それらすべては明示的に検討され、本開示の一部をなすことは容易に理解されよう。
【００１１】
本開示は、とりわけ、異種無線ネットワークと結合するように構成された無線デバイスの垂直ハンドオーバに関連する方法、装置、システム、およびコンピュータプログラム製品を対象とする。
【００１２】
本開示において検討されるように、単一の無線デバイスの垂直ハンドオーバは、異種無線ネットワーク間で取得または共有された知識に基づくことができる。しかし、重複または共存する異種無線ネットワークを含む提案された無線通信システムは、単一無線デバイスベースで垂直ハンドオーバを誘発または実行することしかできない。単一無線デバイスベースは、たとえば、使用中または混雑した無線通信システムが複数の異なるタイプの無線ネットワーク上の無線デバイスを有することがあるという点において、問題となる場合もある。一部の例において、無線デバイスの少なくとも一部は、別のタイプの無線ネットワークとの他のネットワーク接続に切り替えた方がよい場合もある（たとえば、より高いスループット、信号強度、サービス品質など）。しかし、無線通信システムが混雑しているかまたは使用中であるので、他の無線ネットワークへの新しい無線デバイスの許可は、１つまたは複数の無線デバイスがそれらの他のタイプの無線ネットワークから分離または分断するまで、単一の無線デバイスがそのネットワーク接続を切り替えることを妨げる場合がある。
【００１３】
一部の例において、異種無線ネットワークと結合するように構成された無線デバイスの垂直ハンドオーバのための方法が実施される。方法は、無線デバイスの垂直ハンドオーバに関連付けられている１つまたは複数のトリガーイベントの指示を受信することを含むことができる。また、受信した指示に応答して、第１の無線デバイスの第１の垂直ハンドオーバは、第２の無線デバイスの第２の垂直ハンドオーバと調整されてもよい。第１の無線デバイスは第１の無線ネットワークに結合されてもよく、第２の無線デバイスは第２の無線ネットワークに結合されてもよい。次いで、第１の垂直ハンドオーバおよび第２の垂直ハンドオーバは、複数の無線デバイスに関連付けられている垂直ハンドオーバ情報に少なくとも基づいて実行されてもよい。
【００１４】
図１は、例示の無線通信システム１００を示す。図１に示されるように、無線通信システム１００は、コアネットワーク１１０に結合された異種無線ネットワーク１２０および１３０を含む。図１に示されるように、無線ネットワーク１２０および１３０は、アクセスノード１１１を通じてコアネットワーク１１０に別々に結合されてもよい。無線ネットワーク１２０および１３０はそれぞれ、ネットワーク接続１１０Ａおよび１２０Ｂを介して結合されてもよい。また、無線ネットワーク１１０は図１において、それぞれネットワーク接続１２０Ａ、１２０Ｂ、１２０Ｃ、および１２０Ｄを介して無線デバイス１２２、１２４、１２６、および１２８に結合されたアクセスノード１２１を含むものとして示されている。さらに、無線ネットワーク１３０は図１において、それぞれネットワーク接続１３０Ａ、１２０Ｂ、１２０Ｃ、および１２０Ｄを介して無線デバイス１３２、１３４、１３６、および１２８に結合されたアクセスノード１３１を含むものとして示されている。一部の例において、図１に示されるように、アクセスノード１１１、１２１、または１３１は別々に、垂直ハンドオーバ（ＶＨＯ）マネージャ１０５を含むことができる。
【００１５】
一部の例において、無線ネットワーク１２０および１３０は、さまざまなタイプの業界標準に記述されている異なるタイプの無線ネットワーク技術に従って動作する各ネットワークに基づく異種なものである。無線ネットワーク技術の１つのタイプは、ＩＥＥＥ（Ｉｎｓｔｉｔｕｔｅ  ｏｆ  Ｅｌｅｔｒｉｃａｌ  ａｎｄ  Ｅｌｅｃｔｒｏｎｉｃｓ  Ｅｎｇｉｎｅｅｒｓ：米国電気電子学会）８０２．１１−２００７として知られ「ＷｉＦｉ」と呼ばれることもある業界標準において記述されてもよい。ＷｉＦｉタイプの無線ネットワークはまた、無線ローカルエリアネットワーク（ＷＬＡＮ）と呼ばれることもある。もう１つのタイプの無線ネットワーク技術は、ＩＥＥＥ８０２．１６−２００９として知られ「ＷｉＭａｘ」と呼ばれることもある業界標準において記述されてもよい。もう１つのタイプの無線ネットワーク技術は、ＧＳＭ、ＧＰＲＳ、ＥＤＧＥ、Ｗ−ＣＤＭＡ、ＨＳＰＡ、ＬＴＥまたはＬＴＥ−Ａｄｖａｎｃｅｄのような３rdＧｅｎｅｒａｔｉｏｎ  Ｐａｒｔｎｅｒｓｈｉｐ  Ｐｒｏｊｅｃｔに関連し「３ＧＰＰ」と呼ばれることもある１つまたは複数の業界標準において記述されてもよい。さらにもう１つのタイプの無線ネットワーク技術は、ＣＤＭＡ−２０００、ＥＶ−ＤＯ、ＥＶ−ＤＯ  Ｒｅｖ．ＡまたはＥＶ−ＤＯ  Ｒｅｖ．Ｂのような３rdＧｅｎｅｒａｔｉｏｎ  Ｐａｒｔｎｅｒｓｈｉｐ  Ｐｒｏｊｅｃｔ  ２に関連し「３ＧＰＰ２」と呼ばれることもある１つまたは複数の業界標準において記述されてもよい。ＷｉＭａｘ、３ＧＰＰ、または３ＧＰＰ３のタイプの無線ネットワークはまた、無線ワイドエリアネットワーク（ＷＬＡＮ）と呼ばれることもある。しかし、本開示は、無線ネットワークの前述の標準およびタイプのみに限定されることはない。
【００１６】
前述のように、コアネットワーク１１０は、それぞれネットワーク接続１１０Ａおよび１１０Ｂを介して無線ネットワーク１２０および１３０にアクセスノード１１１経由で別々に結合されてもよい。コアネットワーク１１０は、１つまたは複数の業界標準に準拠して動作することができる。たとえば、共通コアネットワーク１１０は、３ＧＰＰ、３ＧＰＰ２、ＩＥＥＥ８０２．１１−２００７、またはＩＥＥＥ８０２．１６−２００９に関連する１つまたは複数の業界標準に準拠して動作することができるか、またはＩＥＥＥ８０２．１のようなその他の業界標準に準拠して動作することができる。一部の例において、ネットワーク接続１１０Ａおよび１１０Ｂは、コアネットワーク１１０に結合するための有線および／または無線ネットワーク接続を含むことができ、これらのネットワーク接続はまた、３ＧＰＰ、３ＧＰＰ２、ＩＥＥＥ８０２．１１−２００７、ＩＥＥＥ８０２．１６−２００９、またはＩＥＥＥ８０２．１に関連する標準に準拠して動作するように構成されてもよい。しかし、本開示は、前述の標準のみに限定されることはない。
【００１７】
前述のように、および後段でさらに説明されるように、アクセスノード１１１、１２１、または１３１は、ＶＨＯマネージャ１０５を含むことができる。一部の例において、アクセスノード１１１、１２１、または１３１のうちの１つまたは複数は、無線デバイス（たとえば、無線デバイス１２４および１３２）の垂直ハンドオーバに関連付けられている１つまたは複数のトリガーイベント（たとえば、無線デバイスの移動、信号劣化、データ使用量の変化など）の指示を受信するように構成された論理を有するＶＨＯマネージャ１０５を含むことができる。受信した指示に応答して、論理は、第１の無線デバイス（たとえば、無線デバイス１２４）の第１の垂直ハンドオーバを、第２の無線デバイス（たとえば、無線デバイス１３２）の第２の垂直ハンドオーバと調整するように構成されてもよい。第１の無線デバイスは第１の無線ネットワーク（たとえば、無線ネットワーク１２０）に結合されてもよく、第２の無線デバイスは第２の無線ネットワーク（たとえば、無線ネットワーク１３０）に結合されてもよい。一部の例において、論理はまた、複数の無線デバイス（たとえば、無線デバイス１２２、１２４、１２６、１２８、１３２、１３４、１３６、または１３８）に関連付けられている垂直ハンドオーバ情報に少なくとも基づいて、第１の垂直ハンドオーバおよび第２の垂直ハンドオーバを実行するように構成されてもよい。
【００１８】
一部の例において、無線デバイス１２２、１２４、１２６、１２８、１３２、１３４、１３６、または１３８は、コンピュータ、ラップトップ、ネットブック、ｅ−ブック、タブレットＰＣなどのモバイルまたは固定の無線デバイス、携帯電話、スマートフォン、携帯情報端末（ＰＤＡ）のような小型フォームファクターポータブル（またはモバイル）電子デバイス、パーソナルメディアプレイヤーデバイス、無線Ｗｅｂ視聴デバイス、パーソナルハンドセットデバイス、アプリケーション固有デバイス、または上記の機能のいずれかを含むことができる混合デバイスであってもよい。
【００１９】
一部の例において、アクセスノード１１１、１２１、または１３１は、さまざまなタイプのものであってもよい。たとえば、アクセスノード１２１または１３１は、無線ローカルエリアネットワーク（ＷＬＡＮ）または無線ワイドエリアネットワーク（ＷＷＡＮ）のアクセスポイントであってもよい。また、アクセスノード１１１は、大都市圏ネットワーク（ＭＡＮ：ｍｅｔｒｏｐｏｌｉｔａｎ  ａｒｅａ  ｎｅｔｗｏｒｋ）のような、大規模コアまたはバックボーンネットワークの有線または無線アクセスポイントであってもよい。
【００２０】
図２は、垂直ハンドオーバ（ＶＨＯ）マネージャ１０５の例示のアーキテクチャを示すブロック図である。図１の無線通信システム１００について上記で説明されているように、アクセスノード１１１、１２１、または１３１は、ＶＨＯマネージャ１０５を含むことができる。一部の例において、ＶＨＯマネージャ１０５は、異種無線ネットワーク（たとえば、無線ネットワーク１２０および１３０）と結合するように構成された無線デバイスの垂直ハンドオーバのために構成または配置された特徴および／または論理を含む。
【００２１】
図２の例示のＶＨＯマネージャ１０５は、スワップ論理２１０、制御論理２２０、メモリ２３０、入出力（Ｉ／Ｏ）インターフェイス２４０、およびオプションで１つまたは複数のアプリケーション２５０を含む。図２に示されるように、スワップ論理２１０は、制御論理２２０、メモリ２３０、および入出力インターフェイス２４０に結合される。さらに図２に示されるように、オプションのアプリケーション２５０は、制御論理２２０と連携して配置される。スワップ論理２１０はさらに、インターバル機能２１１、テーブル機能２１２、トリガー機能２１４、調整機能２１６、および実行機能２１８、またはそれらの任意の適度な組合せを含むことができる。
【００２２】
一部の例において、図２のブロック図に表される要素は、本開示において説明されるＶＨＯマネージャ１０５をサポートまたは使用可能にするように構成される。所与のＶＨＯマネージャ１０５は、図２に示される要素の一部、全部、またはそれよりも多くの要素を含むことができる。たとえば、スワップ論理２１０および制御論理２２０は、ＶＨＯマネージャ１０５の機能を実施するために、多種多様な論理デバイスを別々に、または集合的に表すことができる。例示の論理デバイスは、コンピュータ、マイクロプロセッサ、マイクロコントローラ、フィールドプログラマブルゲートアレイ（ＦＰＧＡ）、特殊用途向け集積回路（ＡＳＩＣ）、マルチコア／マルチスレッドマイクロプロセッサの隔離スレッドまたはコア、もしくはそれらの組合せのうちの１つまたは複数を含むことができる。
【００２３】
一部の例において、図２に示されるように、スワップ論理２１０は、インターバル機能２１１、テーブル機能２１２、トリガー機能２１４、調整機能２１６、または実行機能２１８のうちの１つまたは複数を含む。スワップ論理２１０は、これらの機能のうちの１つまたは複数を使用して操作を実行するように構成されてもよい。後段においてさらに詳細に説明されるように、例示の操作は、異種無線ネットワーク（たとえば、無線ネットワーク１２０および１３０）と結合するように構成された無線デバイスの垂直ハンドオーバを調整することおよび実行することを含むことができる。
【００２４】
一部の例において、制御論理２２０は、ＶＨＯマネージャ１０５の全体的な操作を制御するように構成されてもよい。前述のように、制御論理２２０は、ＶＨＯマネージャ１０５の制御を実施するために、実行可能コンテンツまたは命令と共に動作するように構成された多種多様な論理デバイスのいずれかを表すことができる。一部の代替の例において、制御論理２２０の特徴および機能は、スワップ論理２１０内で実施されてもよい。
【００２５】
一部の例によれば、メモリ２３０は、実行可能コンテンツまたは命令を格納するように配置される。実行可能コンテンツまたは命令は、ＶＨＯマネージャ１０５の機能または要素を実施またはアクティブ化するために、制御論理２２０および／またはスワップ論理２１０によって使用されてもよい。後段においてさらに詳細に説明されるように、メモリ２３０はまた、垂直ハンドオーバ情報を一時的に保持するように（たとえば、マルチユーザテーブルに）配置されてもよい。垂直ハンドオーバ情報は、異種無線ネットワークに結合された複数の無線デバイスに関連付けられてもよい。
【００２６】
メモリ２３０は、揮発性メモリ、不揮発性メモリ、フラッシュメモリ、プログラマブル変数または状態、ランダムアクセスメモリ（ＲＡＭ）、読取り専用メモリ（ＲＯＭ）、もしくはその他の静的または動的記憶媒体のうちの１つまたは複数を含む多種多様なメモリ媒体を含むことができるが、それらに限定されることはない。
【００２７】
一部の例において、入出力インターフェイス２４０は、ＶＨＯマネージャ１０５と、アクセスノード（該アクセスノードを介してＶＨＯマネージャ１０５が常駐または併置されうる）に常駐または位置する要素との間の内部通信媒体またはリンクを介して、インターフェイスを提供することができる。入出力インターフェイス２４０は、内部通信リンク（たとえば、Ｉｎｔｅｒ−Ｉｎｔｅｇｒａｔｅｄ  Ｃｉｒｃｕｉｔ（Ｉ2Ｃ）、システム管理バス（ＳＭＢｕｓ）、またはＳｅｒｉａｌ  Ｐｅｒｉｐｈｅｒａｌ  Ｉｎｔｅｒｆａｃｅ  Ｂｕｓ（ＳＰＩ）など）を介して通信するために、さまざまな通信プロトコルに従って動作するインターフェイスを含むことができる。入出力インターフェイス２４０はまた、ＶＨＯマネージャ１０５と、ＶＨＯマネージャ１０５が常駐または併置されうるアクセスノードの要素との間のインターフェイスを提供することができる。たとえば、図１において前述のように、アクセスノード１１１は、それぞれネットワーク接続１１０Ａおよび１１０Ｂを介してアクセスノード１２１および１３１に結合されてもよい。たとえば、入出力インターフェイス２４０は、ＶＨＯマネージャ１０５がこれらのネットワーク接続を介して通信できるようにするため、さまざまな無線および／または有線通信プロトコルに従って動作するように構成されたインターフェイスを含む（たとえば、ＩＥＥＥ８０２．１、ＩＥＥＥ８０２．１１、ＩＥＥＥ８０２．１６、ＧＳＭ、ＧＰＲＳ、ＥＤＧＥ、Ｗ−ＣＤＭＡ、ＨＳＰＡ、ＬＴＥ、ＣＤＭＡ−２０００、ＥＶ−ＤＯなど）。
【００２８】
一部の例において、ＶＨＯマネージャ１０５は、制御論理２２０および／またはスワップ論理２１０に命令を提供するために１つまたは複数のアプリケーション２５０を含む。たとえば、命令は、ＶＨＯマネージャ１０５が、インターバル機能２１１、テーブル機能２１２、トリガー機能２１４、調整機能２１６、または実行機能２１８のうちの１つまたは複数を実施または使用するための命令を含むことができる。
【００２９】
図３は、垂直ハンドオーバを調整するための例示のマルチユーザテーブル３００を示す。図３に示されるように、マルチユーザテーブル３００は、行３１０〜３８０を含む。行３１０〜３８０は、図１に示されるように、無線ネットワーク１２０および１３０に結合された無線デバイスに関連付けられている垂直ハンドオーバ情報を含むことができる。この垂直ハンドオーバ情報は、ネットワーク、コア、およびユーザ情報を含むことができる。垂直ハンドオーバ情報はまた、トリガーイベントが特定の無線デバイスに対して発生したかどうか、およびその無線デバイスが別のネットワークへのスワップの候補であるかどうかの指示を含むことができる。一部の例において、アクセスノード１１１、１２１、または１３１で保持または連結された１つまたは複数のＶＨＯマネージャ１０５は、（たとえば、メモリ２３０内の）マルチユーザテーブル３００の少なくとも一部を保持するように構成されてもよい。１つまたは複数のＶＨＯマネージャ１０５は、単一アクセスノード（たとえば、アクセスノード１１１）の単一ＶＨＯ１０５が全マルチユーザテーブル３００を保持するか、または複数アクセスノードにおける複数のＶＨＯマネージャ１０５が全マルチユーザテーブル３００を別々に保持することができるように、垂直ハンドオーバ情報を調整することができる。
【００３０】
一部の例において、ネットワーク情報は、マルチユーザテーブル３００にリストされたネットワーク（たとえば、無線ネットワーク１２０または無線ネットワーク１３０）の操作ポリシーを含むことができる。操作ポリシーは、ネットワークトラフィックの潜在的スパイクに対応するための最小スループットバッファを示すことができる。たとえば、マルチユーザテーブル３００は、無線ネットワーク１２０が毎秒５メガビット（Ｍｂｓ）の最小バッファを有し、無線ネットワーク１３０が１Ｍｂｓの最小バッファを有することを示す。操作ポリシーのその他のタイプは、所与のネットワークによってサポートされるサービスのタイプ、サポートされるセキュリティプロトコル、ユーザ容量制限、スパム制限などを含むことができるが、これらに限定されることはない。
【００３１】
マルチユーザテーブル３００には示されないが、ネットワーク情報は、無線ネットワーク１２０および／または無線ネットワーク１３０の無線リソース管理ポリシーおよびサービス品質要件を含むことができる。例示の無線リソース管理ポリシーは、限られた無線周波スペクトルリソースを活用するために使用されてもよく、伝送電力、チャネル割り振り、変調方式、エラーコーディング方式などのパラメータを制御することを含むことができるが、これらに限定されることはない。例示のサービス品質要件は、パケット損失限度、遅延しきい値、最小スループット、トラフィッククラス優先度（たとえば、ストリーミングビデオ対データ）などを含むことができるが、これらに限定されることはない。
【００３２】
一部の例において、コアネットワーク情報は、ネットワーク情報と類似する情報を含むことができる。図３に示されるように、マルチユーザテーブル３００は、ストリーミングビデオがコアネットワーク１１０の最高優先度を割り当てられていることを示すため、トラフィッククラス優先度に関連付けられているサービス品質要件の情報を含む。マルチユーザテーブル３００には示されないが、コアネットワーク情報はまた、コアネットワーク１１０の共通無線リソース管理ポリシーおよび操作ポリシーを含むことができる。共通無線リソース管理ポリシーは、コアネットワーク１１０に結合された無線ネットワークによって共通に使用される無線スペクトルリソースを管理することができる。一部の例において、コアネットワーク１１０の操作ポリシーは、サポートされるサービスのタイプ、サポートされるセキュリティプロトコル、ユーザ容量制限（個別および／または総計）、スパム制限などを含むことができるが、これらに限定されることはない。
【００３３】
一部の例において、ユーザ情報は、無線デバイスに関連付けられているユーザ基本設定を含むことができる。たとえば、マルチユーザテーブル３００に示されるように、無線デバイス１２２のユーザ情報は、１２８ビットセキュリティのユーザ基本設定を示す。１２８ビットセキュリティのユーザ基本設定は、無線デバイス１２２において送信および／または受信されるデータの高レベルな暗号化の必要性を示すことができる。ユーザ基本設定のその他のタイプは、設定済みのネットワークのタイプ（たとえば、３ＧＰＰ対ＷｉＭａｘ）、設定済みのプロトコルのタイプ（たとえば、ＥＶ−ＤＯ、ＬＴＥ、ＷｉＦｉ）などを含むことができるが、これらに限定されることはない。
【００３４】
ユーザ情報はまた、所与の無線デバイスの１つまたは複数のサービス品質要件、および所与の無線デバイスによって使用されている１つまたは複数のサービスのタイプ（たとえば、ストリーミングビデオ／オーディオ、ロケーションベースのサービスなど）を含むことができる。１つまたは複数のサービス品質要件は、最小ビットエラー率、最小帯域幅要件、および最大遅延しきい値を含むことができるが、これらに限定されることはない。
【００３５】
一部の例において、図３に示されるように、マルチユーザテーブル３００は、無線デバイスのさまざまなサービス品質要件を示す。たとえば、無線デバイス１２６は１Ｍｂｓの最小帯域幅を有し、無線デバイス１３２は０．０５％の最大パック損失を有し、無線デバイス１３６は２５ミリ秒（ｍｓ）の最大遅延を有する。図３に示されるように、マルチユーザテーブル３００は、無線デバイス１３８がストリーミングビデオのサービスのタイプを使用している場合があることを示す。
【００３６】
一部の例において、マルチユーザテーブル３００はまた、トリガーイベントが発生したかどうかを示すこともできる。後段においてさらに説明されるように、トリガーイベントは、ネットワーク、コア、またはユーザ情報に関連付けられてもよい。トリガーイベントは、無線デバイスが別のネットワークへの垂直ハンドオーバの可能な候補として選択される結果をもたらし得る。さらに、スワップの候補であることの指示、およびネットワークへのスワップの指示もまた、マルチユーザテーブル３００に含まれてもよい。たとえば、行３２０および３５０は、トリガーイベントが無線デバイス１２４および１３２に対して発生しており、いずれの無線デバイスもそれぞれ無線ネットワーク１３０および１２０へのスワップの候補であることを示す。
【００３７】
図４は、無線デバイスの調整された垂直ハンドオーバに従う例示の無線通信システム１００の一部を示す図である。図４に示されるように、無線デバイス１３２は、無線デバイス１３２を無線ネットワーク１２０のアクセスノード１２１にさらに近づけて物理的に配置することができる位置に移動されている。一部の例において、無線デバイス１３２の移動は、たとえば、無線デバイス１３２にとって無線ネットワーク１３０に結合するのに許容不可能な微弱な信号により引き起こされた、トリガーイベントとして見なされてもよい。さらに、無線デバイス１２４はまた、たとえば、３２ビットセキュリティのユーザ基本設定を有することで無線ネットワーク１２０のバッファの容量が５Ｍｂｓ未満に減少するなど、ネットワーク１２０の操作ポリシーにマイナスの影響を与えることのあるユーザ基本設定を変更することによって、トリガーイベントを生じさせることもある。
【００３８】
行３２０および３５０においてマルチユーザテーブル３００は、アクセスノード１１１、１２１、または１３１で１つまたは複数のＶＨＯマネージャ１０５によりコンパイルされた情報を示すことができる。情報は、無線デバイス１２４および１３２の前述のトリガーイベントを示すことができる。一部の例において、マルチユーザテーブル３００に示されるように、無線デバイス１２４および１３２はスワップ候補として識別される。無線デバイス１２４は無線ネットワーク１３０のスワップ候補として識別され、無線デバイス１３２は無線ネットワーク１２０のスワップ候補として識別される。１つまたは複数のＶＨＯマネージャ１０５は、スワップ候補の承認を求めることができる。たとえば、無線ネットワーク１２０および１３０は、スワップの候補を承認して、その承認を１つまたは複数のＶＨＯマネージャ１０５に送信／転送する必要があることもある。
【００３９】
一部の例において、両方の無線ネットワーク１２０および１３０による候補の承認に続いて、両候補の承認の確認が無線ネットワーク１２０および１３０に配信されてもよい。次いで、垂直ハンドオーバは、両方の無線デバイス１２４および１３２に対して同時に実行されてもよい。図４に示されるように、同時に実行される垂直ハンドオーバは、無線デバイス１２４がネットワーク接続１３０Ｅを介してネットワーク１３０に結合され、無線デバイス１３２がネットワーク接続１２０Ｅを介してネットワーク１２０に結合されるという結果をもたらす。
【００４０】
図５は、異種無線ネットワークと結合するように構成された無線デバイスの垂直ハンドオーバのための例示の方法を示す流れ図である。一部の例において、図１に示される無線通信システム１００は、図５に示される流れ図に関連する例示の方法を表すために使用される。図２に示されるように、ＶＨＯマネージャ１０５はまた、例示の方法を表すために使用されてもよい。しかし、説明される方法は、図１に示される無線通信システム１００での実施、または図２に示されるＶＨＯマネージャ１０５での実施に限定されることはない。例示の方法は、図１または図２に示される要素のうちの１つまたは複数を有するその他の無線通信システムで実施されてもよい。
【００４１】
ブロック５０５（ＶＨＯインターバルの開始）において開始し、ＶＨＯマネージャ１０５は、（たとえば、インターバル機能２１１を介して）垂直ハンドオーバ（ＶＨＯ）インターバルを開始するように構成された論理および／または機能を含むことができる。一部の例において、ＶＨＯインターバルは、アクセスノード１１１、１２１、または１３１において／と共に保持された１つまたは複数のＶＨＯマネージャ１０５に、無線通信システム１００のマルチユーザテーブル（たとえば、マルチユーザテーブル３００）に保持された垂直ハンドオーバ情報を構築、リフレッシュ、または更新するよう指示することができる時間間隔であってもよい。時間間隔は、過度のオーバーヘッドにより無線通信システムに過度な負担をかけることがなく、しかも変化するネットワーク環境に動的に適応するためにタイムリーな情報を提供する時間量に基づいてもよい。
【００４２】
ブロック５０５からブロック５１０（マルチユーザテーブルの更新）へと進み、ＶＨＯマネージャ１０５は、（たとえば、テーブル機能２１２を介して）マルチユーザテーブルを更新するように構成された論理および／または機能を含むことができる。一部の例において、マルチユーザテーブルは、ネットワーク、コア、またはユーザ情報が変化する（たとえば、無線デバイスがネットワーク１２０またはネットワーク１３０から移動または切断する）場合、更新されてもよい。
【００４３】
ブロック５１０から決定ブロック５１５（トリガーイベントであるか？）へと進み、ＶＨＯマネージャ１０５は、ネットワーク、コア、またはユーザ情報の可能な変化が（たとえば、トリガー機能２１４を介して）１つまたは複数のトリガーイベントのレベルに到達したかどうかを決定するように構成された論理および／または機能を含むことができる。一部の例において、１つまたは複数のトリガーイベントは、サービス品質しきい値、無線デバイスユーザ基本設定、無線ネットワーク１２０または１３０の操作または無線リソース管理ポリシー、コアネットワーク１１０の操作ポリシー、あるいは無線ネットワーク１２０および無線ネットワーク１３０の共通無線リソース管理ポリシーに関連付けられてもよい。したがって、これらの例において、処理は、トリガーイベントが発生した場合、決定ブロック５１５から決定ブロック５２０へと続行することができる。それ以外で、トリガーイベントが発生しなかった場合、処理はブロック５４５へと進む。
【００４４】
決定ブロック５２０（スワップ候補であるか？）において、ＶＨＯマネージャ１０５は、（たとえば、調整機能２１６を介して）スワップ候補が識別されたかどうかを決定するように構成された論理および／または機能を含むことができる。一部の例において、マルチユーザテーブル３００について前述のように、無線デバイス１２４および１３２は可能なスワップ候補として識別されてもよい。したがって、これらの例に従って、スワップ候補が識別されており、処理は決定ブロック５２０からブロック５２５へと続行することができる。それ以外で、スワップ候補が識別されなかった場合、処理はブロック５５０へと進む。
【００４５】
ブロック５２５（情報を配信）において、ＶＨＯマネージャ１０５は、（たとえば、調整２１６を介して）スワップ候補情報を配信するように構成された論理および／または機能を含むことができる。一部の例において、アクセスノード１１１、１２１、または１３１において／と共に位置するＶＨＯマネージャ１０５はそれぞれ、どの無線デバイスがスワップ候補であるかを示すための情報を受信することができる。たとえば、マルチユーザテーブル３００は、無線デバイス１２４および１３２がいずれもスワップ候補であることを指示する。
【００４６】
ブロック５２５から決定ブロック５３０（承認したか？）に進み、ＶＨＯマネージャ１０５は、（たとえば、調整機能２１６を介して）無線ネットワーク１２０および１３０が潜在的スワップ候補を承認したかどうかを決定するように構成された論理および／または機能を含むことができる。一部の例において、無線ネットワーク１２０は、無線デバイス１３２のそのネットワークへの結合を承認または受け入れるかどうかを指示することができる。さらに、ネットワーク１３０は、無線デバイス１２４のそのネットワークへの結合を承認または受け入れるかどうかを指示することができる。したがって、これらの例に従って、無線デバイス１３２および１２４が各自それぞれのネットワークに結合することができることを無線ネットワーク１２０および１３０が共に指示する場合、処理はブロック５３５へと進む。それ以外で、無線ネットワーク１２０または１３０のうちの少なくとも１つが承認しないことを指示する場合、処理はブロック５４５へと進む。
【００４７】
ブロック５３５（確認を送信）において、ＶＨＯマネージャ１０５は、無線ネットワーク１２０および１３０が共にスワップ候補を承認したことの確認を（たとえば、調整機能２１６を介して）送信または転送するように構成された論理および／または機能を含むことができる。一部の例において、確認は、無線デバイス１２４および１３２の垂直ハンドオーバについて準備するようにアクセスポイント１２１および１３１に指示することができる。さらに、確認は、無線ネットワークの潜在的スワッピングを指示するために無線デバイス１３２および１２４に転送されてもよい。
【００４８】
ブロック５３５からブロック５４０（ＶＨＯを実行）に進み、ＶＨＯマネージャ１０５は、無線デバイス１２４が無線ネットワーク１３０に結合し、無線デバイス１３２が無線ネットワーク１２０に結合するために（たとえば、実行機能２１８を介して）垂直ハンドオーバを実行するように構成された論理および／または機能を含むことができる。一部の例において、図４について上記で説明されているように、無線デバイス１２４に対して実行された垂直ハンドオーバは、無線デバイス１２４を無線ネットワーク１３０に結合する新しいネットワーク接続１３０Ｅを結果としてもたらすことができる。さらに、無線デバイス１３２に対して実行された垂直ハンドオーバは、無線デバイス１３２を無線ネットワーク１２０に結合する新しいネットワーク接続１２０Ｅを結果としてもたらすことができる。一部の例において、ＶＨＯマネージャ１０５は、ネットワーク接続１３０Ｅとネットワーク接続１２０Ｂをスワップするよう無線デバイス１２４に指示を転送し、ネットワーク接続１２０Ｅとネットワーク接続１３０Ａをスワップするよう無線デバイス１３２に指示を転送することにより、垂直ハンドオーバを実行することができる。
【００４９】
ブロック５４５（承認なしを指示）において、ＶＨＯマネージャ１０５は、無線ネットワーク１２０または無線ネットワーク１３０のうちの少なくとも１つがスワップ候補を承認しなかったことを（たとえば、調整機能２１６を介して）指示するように構成された論理および／または機能を含むことができる。一部の例において、ネットワークのうちの少なくとも１つによる承認が不足していることで、無線デバイス１２４および１３２の垂直ハンドオーバを調整する取組みを終了することができる。ただし、たとえば別のトリガーイベントがＶＨＯインターバル内に発生する場合を除く。
【００５０】
決定ブロック５５０（ＶＨＯインターバル終了？）において、ＶＨＯマネージャ１０５は、ＶＨＯインターバルが満了したかどうかを決定するように構成された論理および／または機能を含むことができる。ＶＨＯインターバルが満了している場合、プロセスはブロック５０５に進む。それ以外の場合、ＶＨＯがまだ満了していなければ、プロセスは決定ブロック５１５へと進む。
【００５１】
図６は、例示のコンピュータプログラム製品６００を示すブロック図である。一部の例において、図６に示されるように、コンピュータプログラム製品６００は、異種無線ネットワークと結合するように構成された無線デバイスの垂直ハンドオーバを実施するための命令６０４も含むことができる信号担持媒体６０２を含む。命令６０４は、論理（たとえば、スワップ論理２１０）によって実行されるとき、論理に、無線デバイスの垂直ハンドオーバに関連付けられている１つまたは複数のトリガーイベントの指示を受信させることができる。受信した指示に応答して、命令６０４はまた、論理に、第１の無線デバイス（たとえば、無線デバイス１２４）の第１の垂直ハンドオーバを、第２の無線デバイス（たとえば、無線デバイス１３２）の第２の垂直ハンドオーバと調整させてもよい。第１の無線デバイスは第１の無線ネットワーク（たとえば、ネットワーク１２０）に結合されてもよく、第２の無線デバイスは第２の無線ネットワーク（たとえば、ネットワーク１３０）に結合されてもよい。命令はまた、複数の無線デバイスに関連付けられている垂直ハンドオーバ情報に少なくとも部分的に基づいて、論理に、第１の垂直ハンドオーバおよび第２の垂直ハンドオーバを実行させることができる。
【００５２】
さらに、一部の例において、図６に示されるように、コンピュータ製品６００は、コンピュータ可読媒体６０６、記録可能媒体６０８、および通信媒体６１０のうちの１つまたは複数を含むことができる。これらの要素を囲む点線ボックスは、信号担持媒体６０２内に含まれるさまざまなタイプの媒体を示すが、これに限定されることはない。これらのタイプの媒体は、論理（たとえば、スワップ論理２１０）によって実行されるように、命令６０４を配信することができる。コンピュータ可読媒体６０６および記録可能媒体６０８は、フレキシブルディスク、ハードディスクドライブ（ＨＤＤ）、コンパクトディスク（ＣＤ）、デジタルビデオディスク（ＤＶＤ）、デジタルテープ、コンピュータメモリなどを含むことができるが、これらに限定されることはない。通信媒体６１０は、デジタルおよび／またはアナログ通信媒体（たとえば、光ファイバケーブル、導波管、有線通信リンク、無線通信リンクなど）を含むことができるが、これらに限定されることはない。
【００５３】
図７は、例示のコンピューティングデバイス７００を示す図である。一部の例において、図１および図２に示されるＶＨＯマネージャ１０５は、コンピューティングデバイス７００において実施されてもよい。これらの例において、コンピューティングデバイス７００の要素は、異種無線ネットワークと結合するように構成された無線デバイスの垂直ハンドオーバのために配置または構成されてもよい。極めて基本的な構成７０１において、コンピューティングデバイス７００は通常、１つまたは複数のプロセッサ７１０およびシステムメモリ７２０を含む。メモリバス７３０は、プロセッサ７１０とシステムメモリ７２０との間で通信するために使用されてもよい。
【００５４】
望ましい構成に応じて、プロセッサ７１０は、マイクロプロセッサ（μＰ）、マイクロコントローラ（μＣ）、デジタルシグナルプロセッサ（ＤＳＰ）、またはそれらの任意の組合せを含む任意のタイプであってもよいが、これらに限定されることはない。プロセッサ７１０は、レベル１キャッシュ７１１およびレベル２キャッシュ７１２のような、１つまたは複数のレベルのキャッシング、プロセッサコア７１３、およびレジスタ７１４を含むことができる。プロセッサコア７１３は、演算論理装置（ＡＬＵ：ａｒｉｔｈｍｅｔｉｃ  ｌｏｇｉｃ  ｕｎｉｔ）、浮動小数点演算ユニット（ＦＰＵ：ｆｌｏａｔｉｎｇ  ｐｏｉｎｔ  ｕｎｉｔ）、デジタル信号処理コア（ＤＳＰ  Ｃｏｒｅ）、またはそれらの任意の組合せを含むことができる。メモリコントローラ７１５はまた、プロセッサ７１０と共に使用されてもよいか、または一部の実施態様において、メモリコントローラ７１５はプロセッサ７１０の内部部品であってもよい。
【００５５】
望ましい構成に応じて、システムメモリ７２０は、（ＲＡＭのような）揮発性メモリ、（ＲＯＭ、フラッシュメモリなどのような）不揮発性メモリ、またはそれらの任意の組合せを含む任意のタイプであってもよいが、これらに限定されることはない。システムメモリ７２０は通常、オペレーティングシステム７２１、１つまたは複数のアプリケーション７２２、およびプログラムデータ７２４を含む。アプリケーション７２２は、図５に示される流れ図に関して説明されているアクションを含む、図２に示されるＶＨＯマネージャ１０５のアーキテクチャに関して説明されているアクションを含む、本明細書において説明される機能を実行するように配置される命令７２３を含む。プログラムデータ７２４は、命令７２３を実施する（たとえば、無線デバイスの垂直ハンドオーバを調整および実行する）のに有用なＶＨＯデータ７２５を含む。一部の例において、アプリケーション７２２は、本明細書に説明されるように、異種無線ネットワークと結合するように構成された無線デバイスの垂直ハンドオーバの実施態様が提供されうるように、オペレーティングシステム７２１でプログラムデータ７２４により動作するように配置されてもよい。この説明された基本構成は、破線７０１内のこれらのコンポーネントによって図７に示される。
【００５６】
コンピューティングデバイス７００は、基本構成７０１と任意の必要とされるデバイスおよびインターフェイスとの間の通信を容易にするために、追加の特徴または機能、および追加のインターフェイスを有することができる。たとえば、バス／インターフェイスコントローラ７４０は、ストレージインターフェイスバス７４１を介して基本構成７０１と１つまたは複数のデータ記憶装置７５０との間の通信を容易にするために使用されてもよい。データ記憶装置７５０は、リムーバブル記憶装置７５１、固定式記憶装置７５２、またはその組合せであってもよい。リムーバブル記憶装置および固定式記憶装置の例は、ほんの一部をあげると、フレキシブルディスクドライブおよびハードディスクドライブ（ＨＤＤ）のような磁気ディスクデバイス、コンパクトディスク（ＣＤ）ドライブまたはデジタル多用途ディスク（ＤＶＤ）ドライブのような光ディスクドライブ、ソリッドステートドライブ（ＳＳＤ）、およびテープドライブを含む。例示のコンピュータ記憶媒体は、コンピュータ可読命令、データ構造、プログラムモジュールおよびその他のデータのような情報の格納のための任意の方法または技術で実施された揮発性および不揮発性の、リムーバブルおよび固定式メディアを含むことができる。
【００５７】
システムメモリ７２０、リムーバブルストレージ７５１、および固定式ストレージ７５２はすべて、コンピュータ記憶媒体の例である。コンピュータ記憶域メディアは、ＲＡＭ、ＲＯＭ、ＥＥＰＲＯＭ、フラッシュメモリまたはその他のメモリ技術、ＣＤ−ＲＯＭ、デジタル多用途ディスク（ＤＶＤ）またはその他の光ストレージ、磁気カセット、磁気テープ、磁気ディスクストレージまたはその他の磁気記憶装置、もしくは望ましい情報を格納するために使用されうる、コンピューティングデバイス７００によってアクセスされうる任意の他の媒体を含むが、これらに限定されることはない。任意のそのようなコンピュータ記憶媒体は、デバイス７００の一部を構成することができる。
【００５８】
コンピューティングデバイス７００はまた、バス／インターフェイスコントローラ７４０を介して、さまざまなインターフェイスデバイス（たとえば、出力インターフェイス、周辺インターフェイス、および通信インターフェイス）から基本構成７０１への通信を容易にするために、インターフェイスバス７４２を含むことができる。例示の出力インターフェイス７６０は、グラフィックス処理ユニット６１およびオーディオ処理ユニット７６２を含み、これらは１つまたは複数のＡ／Ｖポート７６３を介してディスプレイまたはスピーカのようなさまざまな外部デバイスと通信するように構成されてもよい。例示の周辺インターフェイス７６０は、シリアルインターフェイスコントローラ７７１またはパラレルインターフェイスコントローラ７７２を含み、これらは１つまたは複数のＩ／Ｏポート７７３を介して入力デバイス（たとえば、キーボード、マウス、ペン、音声入力デバイス、タッチ入力デバイスなど）またはその他の周辺デバイス（たとえば、プリンタ、スキャナなど）のような外部デバイスと通信するように構成されてもよい。例示の通信インターフェイス７８０はネットワークコントローラ７８１を含み、これは１つまたは複数の通信ポート７８２を介するネットワーク通信上の１つまたは複数のその他のコンピューティングデバイス７９０との通信を容易にするために配置されてもよい。ネットワーク通信接続は、通信媒体の一例である。通信媒体は通常、搬送波または他のトランスポート機構のような変調データ信号におけるコンピュータ可読命令、データ構造、プログラムモジュール、またはその他のデータによって具現されてもよく、任意の情報配信媒体を含む。「変調データ信号」は、信号の特性セットの１つまたは複数を有する信号、または信号の情報をエンコードするような方法で変更された信号であってもよい。限定的ではなく、一例として、通信媒体は、有線ネットワークまたは直接有線接続のような有線媒体、ならびに音響、無線周波数（ＲＦ）、赤外線（ＩＲ）および他の無線媒体のような無線媒体を含むことができるが、これらに限定されることはない。本明細書に使用されているコンピュータ記憶媒体という用語は、記憶媒体および通信媒体の両方を含むことができる。
【００５９】
コンピューティングデバイス７００は、携帯電話、スマートフォン、携帯情報端末（ＰＤＡ）のような小型フォームファクターポータブル（またはモバイル）電子デバイス、パーソナルメディアプレイヤーデバイス、無線Ｗｅｂ視聴デバイス、パーソナルハンドセットデバイス、アプリケーション固有デバイス、または上記の機能のいずれかを含む混合デバイスの一部として実施されてもよい。コンピューティングデバイス７００はまた、ラップトップコンピュータおよびラップトップコンピュータ以外の構成を含むパーソナルコンピュータとして実施されてもよいか、もしくはワークステーションまたはサーバ構成で実施されてもよい。
【００６０】
本開示において参照される用語「に応じて（ｒｅｓｐｏｎｓｉｖｅ  ｔｏ）」または「に応答して（ｉｎ  ｒｅｓｐｏｎｓｅ  ｔｏ）」は、特定の特徴および／または構造に対する反応性に限定されることはない。特徴はまた、別の特徴および／または構造に応じてもよく、さらにその特徴および／または構造内に位置してもよい。加えて、「結合された（ｃｏｕｐｌｅｄ）」または「応じて」または「に応答して」もしくは「通信して（ｉｎ  ｃｏｍｍｕｎｉｃａｔｉｏｎ  ｗｉｔｈ）」などの用語または句が本明細書または後続の特許請求の範囲において使用される場合、これらの用語は広範に解釈されるべきである。たとえば、「に結合された（ｃｏｕｐｌｅｄ  ｔｏ）」という句は、句が使用される文脈に適切に、通信的、電気的、および／または操作的に結合されていることを示すことができる。
【００６１】
本明細書において示されるようにデバイスおよび／またはプロセスを説明し、その後工学技術的手法を用いてそのような説明されたデバイス（たとえば、送信機、受信機、無線デバイス、コンピューティングプラットフォーム、コンピューティングデバイスなど）および／または方法をデータ処理システムに組み入れることは、当技術分野の範囲内では一般的であることが、当業者には理解されよう。すなわち、本明細書において説明されるデバイスおよび／または方法の少なくとも一部は、妥当な量の実験を介してデータ処理システムに組み入れられてもよい。通常のデータ処理システムは一般的に、システムユニット筐体、ビデオ表示デバイス、揮発性および不揮発性メモリのようなメモリ、マイクロプロセッサおよびデジタル信号プロセッサのようなプロセッサ、オペレーティングシステム、ドライバ、グラフィカルユーザインターフェイス、およびアプリケーションプログラムのような計算エンティティ、タッチパッドまたはスクリーンのような１つまたは複数のインタラクションデバイス、および／またはフィードバックループおよび制御モータを含む制御システム（たとえば、位置および／または速度を感知するためのフィードバック、コンポーネントおよび／または数量を移動および／または調整するための制御モータ）のうちの１つまたは複数を含むことを当業者は理解するであろう。通常のデータ処理システムは、データコンピューティング／通信および／またはネットワークコンピューティング／通信システムにおいて一般的に見られるような、任意の適切な市販のコンポーネントを使用して実施されてもよい。
【００６２】
本明細書に説明される主題は、場合によっては、異なる他のコンポーネントまたは要素内に含まれるか、またはそれに接続された異なるコンポーネントまたは要素を示すこともある。そのような示されたアーキテクチャが単なる例に過ぎないこと、および実際に同じ機能を達成する多くの他のアーキテクチャが実施されてもよいことを理解されたい。概念的な意味において、同じ機能を達成するためのコンポーネントの任意の配置は、望ましい機能が達成されるように事実上「関連して」いる。したがって、特定の機能を達成するために本明細書において組み合わされた任意の２つのコンポーネントは、アーキテクチャまたは中間コンポーネントにはかかわりなく、望ましい機能が達成されるように、相互に「関連付けられている」ものと見なされてもよい。同様に、そのように関連する任意の２つのコンポーネントはまた、望ましい機能を達成するために相互に「動作可能に接続されている」または「動作可能に結合されている」ものと見なされてもよく、そのように関連付けられうる任意の２つのコンポーネントはまた、望ましい機能を達成するために相互に「動作可能に結合可能である」と見なされてもよい。動作可能に結合可能であることの具体的な例は、物理的に結合可能および／または物理的に対話するコンポーネント、および／または無線により対話可能および／または無線により対話するコンポーネント、および／または論理的に対話および／または論理的に対話可能なコンポーネントを含むが、これらに限定されることはない。
【００６３】
本明細書における実質的に任意の複数形および／または単数形の用語の使用に関して、当業者は、文脈および／または用途に応じて適切に、複数形から単数形に、および／または単数形から複数形に解釈することができる。さまざまな単数形／複数形の置き換えは、明確にするために本明細書において明示的に示されてもよい。
【００６４】
全体として、本明細書において使用され、特に添付の特許請求の範囲（たとえば、添付の特許請求の範囲の本文）において使用される用語は、概して「オープンな」用語（たとえば、「含んでいる（ｉｎｃｌｕｄｉｎｇ）」という用語は「含んでいるが限定されることはない（ｉｎｃｌｕｄｉｎｇ  ｂｕｔ  ｎｏｔ  ｌｉｍｉｔｅｄ  ｔｏ）」と解釈されるべきであり、「有している（ｈａｖｉｎｇ）」という用語は「少なくとも有している（ｈａｖｉｎｇ  ａｔ  ｌｅａｓｔ）」と解釈されるべきであり、「含む（ｉｎｃｌｕｄｅｓ）」という用語は「含むが限定されることはない（ｉｎｃｌｕｄｅｓ  ｂｕｔ  ｉｓ  ｎｏｔ  ｌｉｍｉｔｅｄ  ｔｏ）」と解釈されるべきである、など）として意図されることが、当業者には理解されよう。特定数の提示される特許請求の範囲の列挙が意図される場合、そのような意図は特許請求の範囲において明示的に列挙され、そのような列挙がない場合にはそのような意図は存在しないことを、当業者はさらに理解するであろう。たとえば、理解を助けるものとして、以下の添付の特許請求の範囲は、特許請求の範囲の列挙を提示するために「少なくとも１つの（ａｔ  ｌｅａｓｔ  ｏｎｅ）」および「１つまたは複数の（ｏｎｅ  ｏｒ  ｍｏｒｅ）」という導入句の使用を含むことができる。しかし、そのような句の使用は、不定冠詞「ａ」または「ａｎ」による特許請求の範囲の列挙の提示が、そのように提示された特許請求の範囲の列挙を含む任意の特定の特許請求の範囲を、たとえ同特許請求の範囲が導入句「１つまたは複数の」または「少なくとも１つの」および「ａ」または「ａｎ」（たとえば、「ａ」および／または「ａｎ」は通常「少なくとも１つの」または「１つまたは複数の」を意味すると解釈されるべきである）のような不定冠詞を含む場合であっても、そのような列挙を１つだけ含む発明に限定することを意味するものと解釈されるべきではなく、同様のことが特許請求の範囲の列挙を提示するために使用される定冠詞の使用についてもあてはまる。加えて、特定数の提示される特許請求の範囲の列挙が明示的に列挙される場合であっても、そのような列挙は通常、少なくとも列挙される数を意味する（たとえば、他の修飾語句を伴わずに「２つの列挙」の単なる列挙は通常、少なくとも２つの列挙、または２つ以上の列挙を意味する）ものと解釈されるべきであることを、当業者は理解するであろう。さらに、「Ａ、Ｂ、およびＣのうちの少なくとも１つ（ａｔ  ｌｅａｓｔ  ｏｎｅ  ｏｆ  Ａ、Ｂ、ａｎｄ  Ｃ）など」と類似した表記規約が使用される場合、一般に、そのような構文は当業者が表記規約を理解するような意味において意図されている（たとえば、「Ａ、Ｂ、およびＣのうちの少なくとも１つを有するシステム」は、Ａのみ、Ｂのみ、Ｃのみ、ＡおよびＢを共に、ＡおよびＣを共に、ＢおよびＣを共に、および／またはＡ、Ｂ、およびＣを共に、などを有するシステムを含むが、これらに限定されることはない）。「Ａ、Ｂ、またはＣのうちの少なくとも１つ（ａｔ  ｌｅａｓｔ  ｏｎｅ  ｏｆ  Ａ、Ｂ、ｏｒ  Ｃ）など」と類似した表記規約が使用される例において、一般に、そのような構文は当業者が表記規約を理解するような意味において意図されている（���とえば、「Ａ、Ｂ、またはＣのうちの少なくとも１つを有するシステム」は、Ａのみ、Ｂのみ、Ｃのみ、ＡおよびＢを共に、ＡおよびＣを共に、ＢおよびＣを共に、および／またはＡ、Ｂ、およびＣを共に、などを有するシステムを含むが、これらに限定されることはない）。実質的に任意の離接語および／または２つ以上の代替用語を表す句は、説明、特許請求の範囲、または図面のいずれにおいてであっても、用語のうちの１つ、用語のいずれか、または両方の用語を含む可能性を考慮するものと理解されるべきであることを、当業者はさらに理解するであろう。たとえば、句「ＡまたはＢ」は、「Ａ」または「Ｂ」または「ＡおよびＢ」の可能性を含むものと理解されよう。
【図１】
0005281201.tif 000002
【図２】
0005281201.tif 000003
【図３】
0005281201.tif 000004
【図４】
0005281201.tif 000005
【図５】
0005281201.tif 000006
【図６】
0005281201.tif 000007
【図７】
0005281201.tif 000008